【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
位置特定セッションにおけるロングタームエボリューション（ＬＴＥ）測位プロトコル（ＬＰＰ）メッセージのサイズを制限するための方法であって、
第１のデバイスから第２のデバイスに、前記第１のデバイスがセグメント化されたＬＰＰメッセージを受信可能であることの指示を含む第１のＬＰＰメッセージを送信することと、
前記第１のＬＰＰメッセージの前記送信の後で、前記第２のデバイスから前記第１のデバイスにおいて、１つまたは複数の最後ではないＬＰＰメッセージセグメントおよび最後のＬＰＰメッセージセグメントを備える複数のＬＰＰメッセージセグメントを受信することとを備え、
前記１つまたは複数の最後ではないＬＰＰメッセージセグメントの各々の最後ではないＬＰＰメッセージセグメントが、前記それぞれの最後ではないＬＰＰメッセージセグメントが最後ではないこと、および１つまたは複数の追加のＬＰＰメッセージセグメントが転送されるであろうことを示すように設定された情報フィールドを含み、
前記最後のＬＰＰメッセージセグメントが、前記最後のＬＰＰメッセージセグメントが最後であること、およびこれ以上のＬＰＰメッセージセグメントが転送されないであろうことを示すように設定された前記情報フィールドを含む、方法。
【請求項２】
前記第１のデバイスにおいて、前記１つまたは複数の最後ではないＬＰＰメッセージセグメントの各々の最後ではないＬＰＰメッセージセグメントを記憶することと、
前記第１のデバイスによって、前記最後のＬＰＰメッセージセグメントが受信された後で前記複数のＬＰＰメッセージセグメントを処理することとをさらに備え、前記処理することが前記同じＬＰＰメッセージタイプに基づく、請求項１に記載の方法。
【請求項３】
前記第１のデバイスにおいて、前記複数のＬＰＰメッセージセグメントの前記最後ではないＬＰＰメッセージセグメントのうちの１つまたは複数を記憶することと、
前記複数のＬＰＰメッセージセグメントの前記最後ではないＬＰＰメッセージセグメントのうちの前記１つまたは複数を記憶した後で、前記第１のデバイスによって、前記複数のＬＰＰメッセージセグメントのうちの少なくとも１つの前記受信におけるエラーを決定することと、
前記エラーを決定したことに応答して、前記第１のデバイスによって、前記複数のＬＰＰメッセージセグメントの前記最後ではないＬＰＰメッセージセグメントのうちの前記１つまたは複数を廃棄することとをさらに備える、請求項１または２に記載の方法。
【請求項４】
前記エラーの前記決定を示すメッセージを、前記第１のデバイスから前記第２のデバイスに送信することをさらに備える、請求項３に記載の方法。
【請求項５】
前記複数のＬＰＰメッセージセグメントのうちの前記少なくとも１つの前記受信における前記エラーを前記決定することが、前記第１のデバイスにおいて受信された前記複数のＬＰＰメッセージセグメントのうちの前記少なくとも１つが、前記複数のＬＰＰメッセージセグメントの前記最後ではないＬＰＰメッセージセグメントのうちの前記１つまたは複数とは異なるメッセージタイプを有すると決定すること、または、前記第１のデバイスにおいて受信された前記複数のＬＰＰメッセージセグメントのうちの前記少なくとも１つが、前記複数のＬＰＰメッセージセグメントのための手順の現在の状態に対する無効なメッセージタイプを有すると決定することを備える、請求項３に記載の方法。
【請求項６】
位置特定セッションにおけるロングタームエボリューション（ＬＴＥ）測位プロトコル（ＬＰＰ）メッセージのサイズを制限するための方法であって、
第１のデバイスから第２のデバイスにおいて、前記第１のデバイスがセグメント化されたＬＰＰメッセージを受信可能であることの指示を含む第１のＬＰＰメッセージを受信することと、
前記第１のＬＰＰメッセージの前記受信の後で、見込まれるＬＰＰメッセージのサイズがある閾値を超えるであろうことを決定することと、
前記第２のデバイスから前記第１のデバイスに、前記見込まれるＬＰＰメッセージに対応する情報を備える複数のＬＰＰメッセージセグメントを送信することとを備え、前記複数のＬＰＰメッセージセグメントが、１つまたは複数の最後ではないＬＰＰメッセージセグメントと最後のＬＰＰメッセージセグメントとを備え、
前記１つまたは複数の最後ではないＬＰＰメッセージセグメントの各々の最後ではないＬＰＰメッセージセグメントが、前記それぞれの最後ではないＬＰＰメッセージセグメントが最後ではないこと、および１つまたは複数の追加のＬＰＰメッセージセグメントが転送されるであろうことを示すように設定された情報フィールドを含み、前記最後のＬＰＰメッセージセグメントが、前記最後のＬＰＰメッセージセグメントが最後であること、およびこれ以上のＬＰＰメッセージセグメントが転送されないであろうことを示すように設定された前記情報フィールドを含む、方法。
【請求項７】
前記第１のデバイスがエンハンストサービングモバイルロケーションセンター（Ｅ−ＳＭＬＣ）もしくは位置管理機能（ＬＭＦ）を備え、前記第２のデバイスがユーザ機器（ＵＥ）を備え、または、
前記第１のデバイスがＵＥを備え、前記第２のデバイスがＥ−ＳＭＬＣもしくはＬＭＦを備える、請求項１または６に記載の方法。
【請求項８】
前記第１のＬＰＰメッセージが、ＬＰＰ能力要求メッセージ、ＬＰＰ能力提供メッセージ、またはＬＰＰ位置情報要求メッセージを備える、請求項１または６に記載の方法。
【請求項９】
前記複数のＬＰＰメッセージセグメントの中の各ＬＰＰメッセージセグメントが、前記見込まれるＬＰＰメッセージと同じＬＰＰメッセージタイプのための良く形成されたＬＰＰメッセージを備える、請求項１または８に記載の方法。
【請求項１０】
前記同じＬＰＰメッセージタイプが、ＬＰＰ能力提供メッセージタイプ、ＬＰＰ支援データ提供メッセージタイプ、ＬＰＰ支援データ要求メッセージタイプ、ＬＰＰ位置情報要求メッセージタイプ、またはＬＰＰ位置情報提供メッセージタイプを備える、請求項１または９に記載の方法。
【請求項１１】
前記第１のＬＰＰメッセージを受信する前に、前記第２のデバイスが、前記第２のデバイスがセグメント化されたＬＰＰメッセージを送信することが可能であることの指示を含む第２のＬＰＰメッセージを前記第１のデバイスに送信する、請求項１または６に記載の方法。
【請求項１２】
前記第２のＬＰＰメッセージがＬＰＰ能力要求メッセージを備える、請求項１または６に記載の方法。
【請求項１３】
前記第２のデバイスにおいて前記第１のデバイスから、前記複数のＬＰＰメッセージセグメントのうちの少なくとも１つの前記受信におけるエラーの決定を示すメッセージを受信することと、
前記エラーの前記決定を示す前記メッセージを受信したことに応答して、前記複数のＬＰＰメッセージセグメントと関連付けられるＬＰＰセッションを中止することとをさらに備える、請求項６に記載の方法。
【請求項１４】
セグメント化されたロングタームエボリューション（ＬＴＥ）測位プロトコル（ＬＰＰ）メッセージを受信するためのデバイスであって、
通信インターフェースと、
メモリと、
前記通信インターフェースおよび前記メモリと通信可能に結合される１つまたは複数の処理ユニットとを備え、前記処理ユニットが、前記デバイスに、
前記通信インターフェースを介して送信デバイスへ、前記デバイスがセグメント化されたＬＰＰメッセージを受信可能であることの指示を含む第１のＬＰＰメッセージを送信させ、
前記第１のＬＰＰメッセージの前記送信の後で、前記通信インターフェースを介して、１つまたは複数の最後ではないＬＰＰメッセージセグメントおよび最後のＬＰＰメッセージセグメントを備える複数のＬＰＰメッセージセグメントを前記送信デバイスから受信させるように構成され、
前記１つまたは複数の最後ではないＬＰＰメッセージセグメントの各々の最後ではないＬＰＰメッセージセグメントが、前記それぞれの最後ではないＬＰＰメッセージセグメントが最後ではないこと、および１つまたは複数の追加のＬＰＰメッセージセグメントが転送されるであろうことを示すように設定された情報フィールドを含み、
前記最後のＬＰＰメッセージセグメントが、前記最後のＬＰＰメッセージセグメントが最後であること、およびこれ以上のＬＰＰメッセージセグメントが転送されないであろうことを示すように設定された前記情報フィールドを含む、デバイス。
【請求項１５】
セグメント化されたロングタームエボリューション（ＬＴＥ）測位プロトコル（ＬＰＰ）メッセージを送信するためのデバイスであって、
通信インターフェースと、
メモリと、
前記通信インターフェースおよび前記メモリと通信可能に結合される１つまたは複数の処理ユニットとを備え、前記処理ユニットが、前記デバイスに、
前記通信インターフェースを介して、受信デバイスから、前記受信デバイスがセグメント化されたＬＰＰメッセージを受信可能であることの指示を含む第１のＬＰＰメッセージを受信させ、
前記第１のＬＰＰメッセージの前記受信の後で、見込まれるＬＰＰメッセージのサイズがある閾値を超えるであろうことを決定させ、
前記受信デバイスへ、前記通信インターフェースを介して、前記見込まれるＬＰＰメッセージに対応する情報を備える複数のＬＰＰメッセージセグメントを送信させるように構成され、前記複数のＬＰＰメッセージセグメントが、１つまたは複数の最後ではないＬＰＰメッセージセグメントと最後のＬＰＰメッセージセグメントとを備え、
前記１つまたは複数の最後ではないＬＰＰメッセージセグメントの各々の最後ではないＬＰＰメッセージセグメントが、前記それぞれの最後ではないＬＰＰメッセージセグメントが最後ではないこと、および１つまたは複数の追加のＬＰＰメッセージセグメントが転送されるであろうことを示すように設定された情報フィールドを含み、
前記最後のＬＰＰメッセージセグメントが、前記最後のＬＰＰメッセージセグメントが最後であること、およびこれ以上のＬＰＰメッセージセグメントが転送されないであろうことを示すように設定された前記情報フィールドを含む、デバイス。
【手続補正２】
【補正対象書類名】明細書
【補正対象項目名】０１３９
【補正方法】変更
【補正の内容】
【０１３９】
[0143]  従って、特許請求される主題は、開示された特定の例に限定されず、そのような特許請求される主題はまた、添付の特許請求の範囲内に入る全ての態様とそれらの均等物とを含み得ることが意図される。
以下に本願の出願当初の特許請求の範囲に記載された発明を付記する。
［Ｃ１］
位置特定セッションにおけるロングタームエボリューション（ＬＴＥ）測位プロトコル（ＬＰＰ）メッセージのサイズを制限するための方法であって、
第１のデバイスから第２のデバイスに、前記第１のデバイスがセグメント化されたＬＰＰメッセージを受信可能であることの指示を含む第１のＬＰＰメッセージを送信することと、
前記第１のＬＰＰメッセージの前記送信の後で、前記第２のデバイスから前記第１のデバイスにおいて、１つまたは複数の最後ではないＬＰＰメッセージセグメントおよび最後のＬＰＰメッセージセグメントを備える複数のＬＰＰメッセージセグメントを受信することとを備え、
前記１つまたは複数の最後ではないＬＰＰメッセージセグメントの各々の最後ではないＬＰＰメッセージセグメントが、前記それぞれの最後ではないＬＰＰメッセージセグメントが最後ではないことの指示を含み、
前記最後のＬＰＰメッセージセグメントが、前記最後のＬＰＰメッセージセグメントが最後であることの指示を含む、方法。
［Ｃ２］
前記第１のデバイスがエンハンストサービングモバイルロケーションセンター（Ｅ−ＳＭＬＣ）もしくは位置管理機能（ＬＭＦ）を備え、前記第２のデバイスがユーザ機器（ＵＥ）を備え、または、
前記第１のデバイスがＵＥを備え、前記第２のデバイスがＥ−ＳＭＬＣもしくはＬＭＦを備える、Ｃ１に記載の方法。
［Ｃ３］
前記第１のＬＰＰメッセージが、ＬＰＰ能力要求メッセージ、ＬＰＰ能力提供メッセージ、またはＬＰＰ位置情報要求メッセージを備える、Ｃ１に記載の方法。
［Ｃ４］
前記第１のＬＰＰメッセージを送信する前に、前記第１のデバイスが、前記第２のデバイスがセグメント化されたＬＰＰメッセージを送信することが可能であることの指示を含む第２のＬＰＰメッセージを前記第２のデバイスから受信する、Ｃ１に記載の方法。
［Ｃ５］
前記第２のＬＰＰメッセージがＬＰＰ能力要求メッセージを備える、Ｃ４に記載の方法。
［Ｃ６］
前記複数のＬＰＰメッセージセグメントの中の各ＬＰＰメッセージセグメントが、同じＬＰＰメッセージタイプのための良く形成されたＬＰＰメッセージを備える、Ｃ１に記載の方法。
［Ｃ７］
前記同じＬＰＰメッセージタイプが、ＬＰＰ能力提供メッセージタイプ、ＬＰＰ支援データ提供メッセージタイプ、ＬＰＰ支援データ要求メッセージタイプ、ＬＰＰ位置情報要求メッセージタイプ、またはＬＰＰ位置情報提供メッセージタイプを備える、Ｃ６に記載の方法。
［Ｃ８］
前記第１のデバイスにおいて、前記１つまたは複数の最後ではないＬＰＰメッセージセグメントの各々の最後ではないＬＰＰメッセージセグメントを記憶することと、
前記第１のデバイスによって、前記最後のＬＰＰメッセージセグメントが受信された後で前記複数のＬＰＰメッセージセグメントを処理することとをおよびさらに備え、前記処理することが前記同じＬＰＰメッセージタイプに基づく、Ｃ６に記載の方法。
［Ｃ９］
前記第１のデバイスにおいて、前記複数のＬＰＰメッセージセグメントの前記最後ではないＬＰＰメッセージセグメントのうちの１つまたは複数を記憶することと、
前記複数のＬＰＰメッセージセグメントの前記最後ではないＬＰＰメッセージセグメントのうちの前記１つまたは複数を記憶した後で、前記第１のデバイスによって、前記複数のＬＰＰメッセージセグメントのうちの少なくとも１つの前記受信におけるエラーを決定することと、
前記エラーを決定したことに応答して、前記第１のデバイスによって、前記複数のＬＰＰメッセージセグメントの前記最後ではないＬＰＰメッセージセグメントのうちの前記１つまたは複数を廃棄することとをさらに備える、Ｃ１に記載の方法。
［Ｃ１０］
前記エラーの前記決定を示すメッセージを、前記第１のデバイスから前記第２のデバイスに送信することをさらに備える、Ｃ９に記載の方法。
［Ｃ１１］
前記複数のＬＰＰメッセージセグメントのうちの前記少なくとも１つの前記受信における前記エラーを前記決定することが、前記第１のデバイスにおいて受信された前記複数のＬＰＰメッセージセグメントのうちの前記少なくとも１つが、前記複数のＬＰＰメッセージセグメントの前記最後ではないＬＰＰメッセージセグメントのうちの前記１つまたは複数とは異なるメッセージタイプを有すると決定することを備える、Ｃ９に記載の方法。
［Ｃ１２］
複数のＬＰＰメッセージセグメントのうちの少なくとも１つの前記受信における前記エラーを決定することが、前記第１のデバイスにおいて受信された前記複数のＬＰＰメッセージセグメントのうちの前記少なくとも１つが、前記複数のＬＰＰメッセージセグメントのための手順の現在の状態に対する無効なメッセージタイプを有すると決定することを備える、Ｃ９に記載の方法。
［Ｃ１３］
位置特定セッションにおけるロングタームエボリューション（ＬＴＥ）測位プロトコル（ＬＰＰ）メッセージのサイズを制限するための方法であって、
第１のデバイスから第２のデバイスにおいて、前記第１のデバイスがセグメント化されたＬＰＰメッセージを受信可能であることの指示を含む第１のＬＰＰメッセージを受信することと、
前記第１のＬＰＰメッセージの前記受信の後で、見込まれるＬＰＰメッセージのサイズがある閾値を超えるであろうことを決定することと、
前記第２のデバイスから前記第１のデバイスに、前記見込まれるＬＰＰメッセージに対応する情報を備える複数のＬＰＰメッセージセグメントを送信することとを備え、前記複数のＬＰＰメッセージセグメントが、１つまたは複数の最後ではないＬＰＰメッセージセグメントと最後のＬＰＰメッセージセグメントとを備え、
前記１つまたは複数の最後ではないＬＰＰメッセージセグメントの各々の最後ではないＬＰＰメッセージセグメントが、前記それぞれの最後ではないＬＰＰメッセージセグメントが最後ではないことの指示を含み、
前記最後のＬＰＰメッセージセグメントが、前記最後のＬＰＰメッセージセグメントが最後であることの指示を含む、方法。
［Ｃ１４］
前記第１のデバイスがエンハンストサービングモバイルロケーションセンター（Ｅ−ＳＭＬＣ）もしくは位置管理機能（ＬＭＦ）を備え、前記第２のデバイスがユーザ機器（ＵＥ）を備え、または、
前記第１のデバイスがＵＥを備え、前記第２のデバイスがＥ−ＳＭＬＣもしくはＬＭＦを備える、Ｃ１３に記載の方法。
［Ｃ１５］
前記第１のＬＰＰメッセージが、ＬＰＰ能力要求メッセージ、ＬＰＰ能力提供メッセージ、またはＬＰＰ位置情報要求メッセージを備える、Ｃ１３に記載の方法。
［Ｃ１６］
前記複数のＬＰＰメッセージセグメントの中の各ＬＰＰメッセージセグメントが、前記見込まれるＬＰＰメッセージと同じＬＰＰメッセージタイプのための良く形成されたＬＰＰメッセージを備える、Ｃ１３に記載の方法。
［Ｃ１７］
前記同じＬＰＰメッセージタイプが、ＬＰＰ能力提供メッセージタイプ、ＬＰＰ支援データ提供メッセージタイプ、ＬＰＰ支援データ要求メッセージタイプ、ＬＰＰ位置情報要求メッセージタイプ、またはＬＰＰ位置情報提供メッセージタイプを備える、Ｃ１６に記載の方法。
［Ｃ１８］
前記第１のＬＰＰメッセージを受信する前に、前記第２のデバイスが、前記第２のデバイスがセグメント化されたＬＰＰメッセージを送信することが可能であることの指示を含む第２のＬＰＰメッセージを前記第１のデバイスに送信する、Ｃ１３に記載の方法。
［Ｃ１９］
前記第２のＬＰＰメッセージがＬＰＰ能力要求メッセージを備える、Ｃ１８に記載の方法。
［Ｃ２０］
前記第２のデバイスにおいて前記第１のデバイスから、前記複数のＬＰＰメッセージセグメントのうちの少なくとも１つの前記受信におけるエラーの決定を示すメッセージを受信することと、
前記エラーの前記決定を示す前記メッセージを受信したことに応答して、前記複数のＬＰＰメッセージセグメントと関連付けられるＬＰＰセッションを中止することとをさらに備える、Ｃ１３に記載の方法。
［Ｃ２１］
セグメント化されたロングタームエボリューション（ＬＴＥ）測位プロトコル（ＬＰＰ）メッセージを受信するためのデバイスであって、
通信インターフェースと、
メモリと、
前記通信インターフェースおよび前記メモリと通信可能に結合される１つまたは複数の処理ユニットとを備え、前記処理ユニットが、前記デバイスに、
前記通信インターフェースを介して送信デバイスへ、前記デバイスがセグメント化されたＬＰＰメッセージを受信可能であることの指示を含む第１のＬＰＰメッセージを送信させ、
前記第１のＬＰＰメッセージの前記送信の後で、前記通信インターフェースを介して、１つまたは複数の最後ではないＬＰＰメッセージセグメントおよび最後のＬＰＰメッセージセグメントを備える複数のＬＰＰメッセージセグメントを前記送信デバイスから受信させるように構成され、
前記１つまたは複数の最後ではないＬＰＰメッセージセグメントの各々の最後ではないＬＰＰメッセージセグメントが、前記それぞれの最後ではないＬＰＰメッセージセグメントが最後ではないことの指示を含み、
前記最後のＬＰＰメッセージセグメントが、前記最後のＬＰＰメッセージセグメントが最後であることの指示を含む、デバイス。
［Ｃ２２］
前記デバイスがエンハンストサービングモバイルロケーションセンター（Ｅ−ＳＭＬＣ）もしくは位置管理機能（ＬＭＦ）を備え、前記送信デバイスがユーザ機器（ＵＥ）を備え、または、
前記デバイスがＵＥを備え、前記送信デバイスがＥ−ＳＭＬＣもしくはＬＭＦを備える、Ｃ２１に記載のデバイス。
［Ｃ２３］
前記１つまたは複数の処理ユニットが、前記第１のＬＰＰメッセージを送信する前に、前記送信デバイスがセグメント化されたＬＰＰメッセージを送信することが可能であることの指示を含む第２のＬＰＰメッセージを前記送信デバイスから受信するように構成される、Ｃ２１に記載のデバイス。
［Ｃ２４］
前記１つまたは複数の処理ユニットがさらに、前記デバイスに、同じＬＰＰメッセージタイプのための良く形成されたＬＰＰメッセージを備える前記複数のＬＰＰメッセージセグメントの中の各ＬＰＰメッセージセグメントを受信させるように構成される、Ｃ２１に記載のデバイス。
［Ｃ２５］
前記１つまたは複数の処理ユニットがさらに、前記デバイスに、
前記１つまたは複数の最後ではないＬＰＰメッセージセグメントの各々の最後ではないＬＰＰメッセージセグメントを前記メモリ内に記憶させ、
前記最後のＬＰＰメッセージセグメントが受信された後で前記複数のＬＰＰメッセージセグメントを処理させるように構成され、前記処理することが前記同じＬＰＰメッセージタイプに基づく、Ｃ２４に記載のデバイス。
［Ｃ２６］
前記１つまたは複数の処理ユニットがさらに、前記デバイスに、
前記複数のＬＰＰメッセージセグメントの前記最後ではないＬＰＰメッセージセグメントのうちの１つまたは複数を前記メモリ内に記憶させ、
前記複数のＬＰＰメッセージセグメントの前記最後ではないＬＰＰメッセージセグメントのうちの前記１つまたは複数を記憶した後で、前記複数のＬＰＰメッセージセグメントのうちの少なくとも１つの前記受信におけるエラーを決定させ、
前記エラーを決定したことに応答して、前記複数のＬＰＰメッセージセグメントの前記最後ではないＬＰＰメッセージセグメントのうちの前記１つまたは複数を廃棄させるように構成される、Ｃ２１に記載のデバイス。
［Ｃ２７］
セグメント化されたロングタームエボリューション（ＬＴＥ）測位プロトコル（ＬＰＰ）メッセージを送信するためのデバイスであって、
通信インターフェースと、
メモリと、
前記通信インターフェースおよび前記メモリと通信可能に結合される１つまたは複数の処理ユニットとを備え、前記処理ユニットが、前記デバイスに、
前記通信インターフェースを介して、受信デバイスから、前記受信デバイスがセグメント化されたＬＰＰメッセージを受信可能であることの指示を含む第１のＬＰＰメッセージを受信させ、
前記第１のＬＰＰメッセージの前記受信の後で、見込まれるＬＰＰメッセージのサイズがある閾値を超えるであろうことを決定させ、
前記受信デバイスへ、前記通信インターフェースを介して、前記見込まれるＬＰＰメッセージに対応する情報を備える複数のＬＰＰメッセージセグメントを送信させるように構成され、前記複数のＬＰＰメッセージセグメントが、１つまたは複数の最後ではないＬＰＰメッセージセグメントと最後のＬＰＰメッセージセグメントとを備え、
前記１つまたは複数の最後ではないＬＰＰメッセージセグメントの各々の最後ではないＬＰＰメッセージセグメントが、前記それぞれの最後ではないＬＰＰメッセージセグメントが最後ではないことの指示を含み、
前記最後のＬＰＰメッセージセグメントが、前記最後のＬＰＰメッセージセグメントが最後であることの指示を含む、デバイス。
［Ｃ２８］
前記受信デバイスがエンハンストサービングモバイルロケーションセンター（Ｅ−ＳＭＬＣ）もしくは位置管理機能（ＬＭＦ）を備え、前記デバイスがユーザ機器（ＵＥ）を備え、または、
前記受信デバイスがＵＥを備え、前記デバイスがＥ−ＳＭＬＣもしくはＬＭＦを備える、Ｃ２７に記載のデバイス。
［Ｃ２９］
前記１つまたは複数の処理ユニットがさらに、前記デバイスに、前記第１のＬＰＰメッセージを受信する前に、前記デバイスがセグメント化されたＬＰＰメッセージを送信することが可能であることの指示を含む第２のＬＰＰメッセージを前記受信デバイスへ送信させるように構成される、Ｃ２７に記載のデバイス。
［Ｃ３０］
前記１つまたは複数の処理ユニットがさらに、前記デバイスに、
前記受信デバイスから、前記通信インターフェースを介して、前記複数のＬＰＰメッセージセグメントのうちの少なくとも１つの前記受信におけるエラーの決定を示すメッセージを受信させ、
前記エラーの前記決定を示す前記メッセージを受信したことに応答して、前記複数のＬＰＰメッセージセグメントと関連付けられるＬＰＰセッションを中止させるように構成される、Ｃ２７に記載のデバイス。